(57)【要約】【課題】過去に撮影を行った際の撮影条件に基づいて、撮影条件を適切に設定することができ、良好な放射線像を得ることができる放射線画像撮影装置及び放射線画像撮影システムを提供することを目的とする。【解決手段】放射線画像撮影装置に、少なくとも放射線画像を撮影した際に用いた管電圧値及び管電流値を含む放射線画像の撮影に必要な撮影条件を記憶する記憶装置と、同一被写体を再度撮影する際に前記記憶装置に記憶されている撮影条件を表示する表示装置と、撮影条件を記憶及び撮影条件の表示を制御する制御装置とを設けた。【選択図】    図１
2004188094.tif 000002
【特許請求の範囲】
【請求項１】
放射線を発生させる放射線管装置を有し、この放射線管装置に高電圧を印加する高電圧発生装置を接続し、前記放射線管装置の前面に放射線照射野を調節する絞り装置を設けた放射線画像撮影装置において、少なくとも放射線画像を撮影した際に用いた管電圧値及び管電流値を含む放射線画像の撮影に必要な撮影条件を記憶する記憶装置と、同一被写体を再度撮影する際に前記記憶装置に記憶されている撮影条件を表示する表示装置と、前記記憶装置による撮影条件の記憶を制御し、前記表示装置による撮影条件の表示を制御する制御装置とを設けたことを特徴とする放射線画像撮影装置。
【請求項２】
前記記憶装置は、撮影した放射線画像を記憶し、前記表示装置は、同一被写体を再度撮影する際に前記記憶装置に記憶されている放射線画像を表示することを特徴とする請求項１に記載の放射線画像撮影装置。
【請求項３】
放射線を発生させる放射線管装置を有し、この放射線管装置に高電圧を印加する高電圧発生装置を接続し、前記放射線管装置の前面に放射線照射野を調節する絞り装置を設けた放射線画像撮影装置において、少なくとも放射線画像を撮影した際に用いた管電圧値及び管電流値を含む放射線画像の撮影に必要な撮影条件を記憶する記憶装置と、同一被写体を再度撮影する際に前記記憶装置に記憶されている撮影条件に基づいて前記高電圧発生装置の管電圧値と管電流値及び前記絞り装置の照射野絞り値の少なくともいずれか一方を制御する制御装置とを設けたことを特徴とする放射線画像撮影装置。
【請求項４】
放射線画像撮影に関する情報を管理するオーダリングサーバと、放射線画像を撮影する放射線画像撮影装置とをネットワークを通じて接続し、前記オーダリングサーバに、予め被写体に関する被写体情報及び放射線画像の撮影に必要な撮影情報を撮影予約情報として登録し、この撮影予約情報に基づいて、前記放射線画像撮影装置により撮影を行う放射線画像撮影システムにおいて、前記オーダリングサーバに、少なくとも放射線画像を撮影した際に用いた管電圧値及び管電流値を含む放射線画像の撮影に必要な撮影条件を記憶する記憶装置を設け、同一被写体を再度撮影する際に前記記憶装置に記憶されている撮影条件を撮影予約情報とともに表示する表示装置を設けたことを特徴とする放射線画像撮影システム。
【請求項５】
前記記憶装置は、撮影した放射線画像を記憶し、前記表示装置は、同一被写体を再度撮影する際に前記記憶装置に記憶されている放射線画像を表示することを特徴とする請求項４に記載の放射線画像撮影システム。
【請求項６】
放射線画像撮影に関する情報を管理するオーダリングサーバと、放射線画像を撮影する放射線画像撮影装置とをネットワークを通じて接続し、前記オーダリングサーバに、予め被写体に関する被写体情報、放射線画像を撮影する条件に関する撮影情報を撮影予約情報として登録し、この撮影予約情報に基づいて、前記放射線画像撮影装置により撮影を行う放射線画像撮影システムにおいて、前記オーダリングサーバに、少なくとも放射線画像を撮影した際に用いた管電圧値及び管電流値を含む放射線画像の撮影に必要な撮影条件を記憶する記憶装置を設け、前記放射線画像撮影装置に、同一被写体を再度撮影する際に前記記憶装置に記憶されている撮影条件に基づいて管電圧値と管電流値及び照射野絞り値の少なくともいずれか一方を制御する制御装置を設けたことを特徴とする放射線画像撮影システム。
【発明の詳細な説明】
【０００１】
【発明の属する技術分野】
本発明は、放射線画像撮影装置及び放射線画像撮影システムに係り、特に過去に撮影を行った際の撮影条件に基づいて、撮影条件を適切に設定することができる放射線画像撮影装置及び放射線画像撮影システムに関する。
【０００２】
【従来の技術】
従来、Ｘ線画像に代表される放射線画像が病気診断用等に広く用いられている。良好な放射線画像を得るためには、放射線画像撮影装置において、管電圧及び管電流等の放射線画像の撮影に必要な撮影条件を、例えば患者の胸部等の被写体に応じて適切に設定して、撮影を行う必要がある。この撮影条件の設定は、従来、放射線技師がキーボード等の入力操作部から撮影条件を入力することにより行っている（例えば、特許文献１参照）。
【０００３】
また、従来、撮影する患者の部位等に基づいて撮影条件を自動的に設定することも行われている。この自動設定は、撮影する部位等から画一的に撮影条件を定めるため、実際には、個々の患者の体形等の相違から、自動的に設定された管電圧及び管電流では線量が適切でなく鮮明な放射線画像が得られない場合や、自動的に設定された照射野絞り値では診断したい部位が撮影範囲に含まれない場合が生じる。したがって、放射線技師が、患者の身長や体重、撮影部位及び実際に患者の体形を見た結果等に応じて、入力操作部から自動的に設定された撮影条件を調整する入力を行っている。
【０００４】
【特許文献１】
特開平１０−２０１７５０号公報
【０００５】
【発明が解決しようとする課題】
しかし、従来の放射線画像撮影装置（特許文献１）では、放射線技師が、放射線の透過量や撮影部位の大きさ等を予測して撮影条件を設定することになるが、この予測は、身長や体重、撮影部位及び実際に被写体の体形を見た結果等の外形的な要素から行うことになるため、実際の放射線の透過量や撮影部位の大きさ等が予測に反したものである場合があり、この場合、鮮明な放射線画像が得られなかったり、診断したい部位が撮影範囲に含まれない等、良好な放射線画像が得られないという問題があった。
【０００６】
ところで、放射線画像の撮影は、患部の経時の変化を観察するために複数回行われることが多い。そして、放射線の透過量や撮影部位の大きさ等は、それほど変化することがないため、過去に撮影を行った際の撮影条件を加味すれば、放射線の透過量や撮影部位の大きさ等をより容易かつ的確に予測することができ、撮影条件を適切に設定することができる。
【０００７】
そこで、本発明は、過去に撮影を行った際の撮影条件に基づいて、撮影条件を適切に設定することができ、良好な放射線像を得ることができる放射線画像撮影装置及び放射線画像撮影システムを提供することを目的とする。
【０００８】
【課題を解決するための手段】
上記課題を解決するために本発明による放射線画像撮影装置は、放射線を発生させる放射線管装置を有し、この放射線管装置に高電圧を印加する高電圧発生装置を接続し、前記放射線管装置の前面に放射線照射野を調節する絞り装置を設けた放射線画像撮影装置において、少なくとも放射線画像を撮影した際に用いた管電圧値及び管電流値を含む放射線画像の撮影に必要な撮影条件を記憶する記憶装置と、同一被写体を再度撮影する際に前記記憶装置に記憶されている撮影条件を表示する表示装置と、前記記憶装置による撮影条件の記憶を制御し、前記表示装置による撮影条件の表示を制御する制御装置とを設けたことを特徴とする。
【０００９】
本発明によれば、同一被写体を再度撮影する際に、記憶装置に記憶されている過去の撮影に用いた撮影条件を表示する表示装置が設けられているため、放射線技師は、表示装置に表示された過去の撮影条件を加味して、放射線の透過量や撮影部位の大きさ等を予測し、撮影条件を設定することになる。
【００１０】
また、請求項２に記載の発明による放射線画像撮影装置は、請求項１に記載の放射線画像撮影装置において、前記記憶装置は、撮影した放射線画像を記憶し、前記表示装置は、同一被写体を再度撮影する際に前記記憶装置に記憶されている放射線画像を表示することを特徴とする。
【００１１】
本発明によれば、表示装置には、同一被写体を再度撮影する際に、記憶装置に記憶されている過去の撮影条件とともに放射線画像情報が表示されるため、放射線技師は、表示装置に表示された過去の放射線画像及び撮影条件を加味して、放射線の透過量や撮影部位の大きさ等を予測し、撮影条件を設定することになる。
【００１２】
また、請求項３に記載の発明による放射線画像撮影装置は、放射線を発生させる放射線管装置を有し、この放射線管装置に高電圧を印加する高電圧発生装置を接続し、前記放射線管装置の前面に放射線照射野を調節する絞り装置を設けた放射線画像撮影装置において、少なくとも放射線画像を撮影した際に用いた管電圧値及び管電流値を含む放射線画像の撮影に必要な撮影条件を記憶する記憶装置と、同一被写体を再度撮影する際に前記記憶装置に記憶されている撮影条件に基づいて前記高電圧発生装置の管電圧値と管電流値及び前記絞り装置の照射野絞り値の少なくともいずれか一方を制御する制御装置とを設けたことを特徴とする。
【００１３】
本発明によれば、同一被写体を再度撮影する際に、記憶装置に記憶されている過去の撮影条件に基づいて高電圧発生装置の管電圧値と管電流値及び絞り装置の照射野絞り値の少なくともいずれか一方を制御する制御装置が設けられているため、過去の撮影条件に基づいて自動的に撮影条件が設定されることになる。
【００１４】
また、請求項４に記載の発明による放射線画像撮影システムは、放射線画像撮影に関する情報を管理するオーダリングサーバと、放射線画像を撮影する放射線画像撮影装置とをネットワークを通じて接続し、前記オーダリングサーバに、予め被写体に関する被写体情報及び放射線画像の撮影に必要な撮影情報を撮影予約情報として登録し、この撮影予約情報に基づいて、前記放射線画像撮影装置により撮影を行う放射線画像撮影システムにおいて、前記オーダリングサーバに、少なくとも放射線画像を撮影した際に用いた管電圧値及び管電流値を含む放射線画像の撮影に必要な撮影条件を記憶する記憶装置を設け、同一被写体を再度撮影する際に前記記憶装置に記憶されている撮影条件を撮影予約情報とともに表示する表示装置を設けたことを特徴とする。
【００１５】
本発明によれば、放射線画像を撮影した際に用いた管電圧値及び管電流値を含む放射線画像の撮影に必要な撮影条件は、オーダリングサーバの記憶装置に記憶される。そして、この撮影条件は、同一被写体を再度撮影する際に、放射線画像撮影装置に設けられた表示装置に撮影予約情報とともに表示されるため、放射線技師は、この撮影条件を加味して、放射線の透過量や撮影部位の大きさ等を予測し、撮影条件を設定することになる。
【００１６】
また、請求項５に記載の発明による放射線画像撮影システムは、請求項４に記載の放射線画像撮影システムにおいて、前記記憶装置は、撮影した放射線画像を記憶し、前記表示装置は、同一被写体を再度撮影する際に前記記憶装置に記憶されている放射線画像を表示することを特徴とする。
【００１７】
本発明によれば、撮影された放射線画像は、オーダリングサーバの記憶装置に記憶される。そして、この放射線画像は、同一被写体を再度撮影する際に、放射線画像撮影装置に設けられた表示装置に、撮影予約情報と撮影条件とともに表示されるため、放射線技師は、この放射線画像及び撮影条件を加味して、放射線の透過量や撮影部位の大きさ等を予測し、撮影条件を設定することになる。
【００１８】
また、請求項６に記載の発明による放射線画像撮影システムは、放射線画像撮影に関する情報を管理するオーダリングサーバと、放射線画像を撮影する放射線画像撮影装置とをネットワークを通じて接続し、前記オーダリングサーバに、予め被写体に関する被写体情報、放射線画像を撮影する条件に関する撮影情報を撮影予約情報として登録し、この撮影予約情報に基づいて、前記放射線画像撮影装置により撮影を行う放射線画像撮影システムにおいて、前記オーダリングサーバに、少なくとも放射線画像を撮影した際に用いた管電圧値及び管電流値を含む放射線画像の撮影に必要な撮影条件を記憶する記憶装置を設け、前記放射線画像撮影装置に、同一被写体を再度撮影する際に前記記憶装置に記憶されている撮影条件に基づいて管電圧値と管電流値及び照射野絞り値の少なくともいずれか一方を制御する制御装置を設けたことを特徴とする。
【００１９】
本発明によれば、放射線画像を撮影した際に用いた撮影条件は、オーダリングサーバの記憶装置に記憶される。そして、同一被写体を再度撮影する際には、この撮影条件に基づいて、管電圧値と管電流値及び照射野絞り値の少なくともいずれか一方が制御されるため、過去の撮影条件に基づいて自動的に撮影条件が設定されることになる。
【００２０】
【発明の実施の形態】
以下、本発明の実施形態を図１及び図２を参照して説明する。
【００２１】
本発明による放射線画像撮影システムは、図１に示すように、放射線画像撮影に関する情報を管理するオーダリングサーバ１と、放射線画像撮影に関する操作を行う撮影操作端末２と、撮影した放射線画像の画像読取処理に関する操作を行う画像読取処理操作端末３とがネットワーク６を通じて接続されている。撮影操作端末２にはケーブル４を介して放射線を発生させる放射線管装置５と、この放射線管装置５に高電圧を印加する高電圧発生装置６と、放射線照射野を調節する絞り装置７と、患者Ａを透過した放射線量を検出するフォトタイマ８とが接続されている。また、画像読取処理操作端末３には、ケーブル４を介して画像読取処理装置９が接続されている。なお、撮影操作端末２、高電圧発生装置６、絞り装置７及びフォトタイマ８は放射線画像撮影装置を構成する。
【００２２】
オーダリングサーバ１は、コンピュータで構成されており、オーダリングサーバ１には、図２に示すように、ＣＰＵ（Ｃｅｎｔｒａｌ  ＰｒｏｃｅｓｓｉｎｇＵｎｉｔ）１１、ＲＯＭ（Ｒｅａｄ  Ｏｎｌｙ  Ｍｅｍｏｒｙ）１２、ＲＡＭ（Ｒａｎｄｏｍ  Ａｃｃｅｓｓ  Ｍｅｍｏｒｙ）１３、外部記憶装置１４、キーボードやマウス等の入力操作装置１５、ＣＲＴディスプレイや液晶ディスプレイ等の表示装置１６、及びインターフェイス１７がそれぞれ設けられている。
【００２３】
ＲＯＭ１２には、放射線画像撮影に関する情報の管理に関する各種制御プログラムが格納されている。ＲＡＭ１３には、ＣＰＵ１１による作業領域等が備えられており、ＣＰＵ１１は、ＲＯＭ１２に格納されている各種プログラムの中から指定されたプログラムをＲＡＭ１３内の作業領域に展開し、プログラムに従った各種処理を実行するようになっている。
【００２４】
インターフェイス１７には、撮影操作端末２及び画像読取処理操作端末３が電気的に接続されている。
【００２５】
ＣＰＵ１１は、入力操作装置１５から入力された患者情報、撮影情報、及び読取情報をそれぞれ対応付けた状態で、医師が放射線技師に対して放射線画像撮影を指示する撮影予約情報として、外部記憶装置１４に記憶させるようになっている。患者情報とは、患者の氏名、年齢、性別、生年月日、患者を特定するための患者ＩＤ番号等の患者に関する情報である。また、撮影情報とは、撮影部位（被撮影者の身体上の撮影する部分）、撮影する方向や方法等の撮影するために必要な情報である。読取情報とは、撮影情報に応じた放射線画像読取装置の読取感度や読取解像度等の読取条件に関する情報である。
【００２６】
ＲＯＭ１２には、撮影部位毎に、当該部位について良好な放射線画像を得ることができる平均的な管電圧値、管電流値、線量及び照射野絞り値を定めた撮影条件テーブルが格納されている。ＣＰＵ１１は、ＲＯＭ１２に格納されている撮影条件テーブルに基づいて、入力操作装置１５から入力された撮影部位に対応する管電圧値、管電流値、線量及び照射野絞り値を選択して、撮影情報に付加するようになっている。
【００２７】
また、ＣＰＵ１１は、撮影条件テーブルに基づいて選択した管電圧値、管電流値、線量及び照射野絞り値が放射線画像の撮影の際に修正された場合には、実際の撮影に用いた修正後の値と撮影条件テーブルに基づいて選択した値との差を、撮影操作端末２から受信し、補正値として外部記憶装置１４に記憶するようになっている。さらに、ＣＰＵ１１は、撮影された放射線画像を画像読取処理操作端末３から受信し、外部記憶装置１４に記憶するようになっている。
【００２８】
撮影操作端末２は、コンピュータで構成されており、撮影操作端末２には、図２に示すように、制御装置であるＣＰＵ２１とＲＯＭ２２とＲＡＭ２３、キーボードやマウス等の入力操作装置２４、ＣＲＴディスプレイや液晶ディスプレイ等の表示装置２５、及びインターフェイス２６がそれぞれ設けられている。
【００２９】
ＲＯＭ２２には、放射線画像の撮影を制御する各種制御プログラムが格納されている。ＲＡＭ２３には、ＣＰＵ２１による作業領域等が備えられており、ＣＰＵ２１は、ＲＯＭ２２に格納されている各種プログラムの中から指定されたプログラムをＲＡＭ２３内の作業領域に展開し、プログラムに従った各種処理を実行するようになっている。
【００３０】
インターフェイス２６には、オーダリングサーバ１、高電圧発生装置６、絞り装置７及びフォトタイマ８が電気的に接続されている。
【００３１】
ここで、高電圧発生装置６には、図１に示すように、放射線管装置５が接続されており、高電圧発生装置６から放射線管装置５に管電圧及び管電流を印加することによって、放射線が照射されるようになっている。放射線管装置５の放射線照射口５１には、放射線照射野を調節する絞り装置７の絞り口７１が、開閉自在に設けられている。放射線管装置５の下方であって放射線照射範囲には、患者Ａを載置させる寝台Ｂが設けられており、寝台Ｂの下方には、輝尽性蛍光シートを収納した放射線画像撮影用カセッテＣを装着するカセッテ装着口（図示しない）が設けられている。寝台Ｂとカセッテ装着口との間には、フォトタイマ８が設けられており、フォトタイマ８は、患者Ａを透過する放射線量を検出し、患者Ａを透過する放射線量が所定の線量に到達したときに、撮影操作端末２に対して信号を送信するようになっている。
【００３２】
撮影操作端末２に設けられたＣＰＵ２１は、入力操作装置２３からの信号に応じて、インターフェイス２６を介してオーダリングサーバ１から撮影予約情報を受信し、表示装置２５に表示させるとともに、撮影予約情報の中の管電圧値及び管電流値を高電圧発生装置６へ出力し、線量をフォトタイマ８へ出力し、照射野絞り値を絞り装置７へ出力するようになっている。
【００３３】
また、ＣＰＵ２１は、撮影予約情報を受信すると、受信した撮影予約情報に示された患者の撮影部位すなわち被写体について、補正値及び放射線画像が、オーダリングサーバ１の外部記憶装置１４に記憶されているかを検索するようになっている。そして、記憶されている場合には、補正値及び放射線画像をオーダリングサーバ１から受信し、表示装置２５に表示させるとともに、補正値を高電圧発生装置６、フォトタイマ８及び絞り装置７へそれぞれ出力するようになっている。
【００３４】
また、ＣＰＵ２１は、入力操作装置２４から管電圧値、管電流値、線量及び照射野絞り値を修正する入力があった場合には、修正する値を高電圧発生装置６、フォトタイマ８及び絞り装置７へそれぞれ出力するようになっている。
【００３５】
また、ＣＰＵ２１は、入力操作装置２３からの信号に応じて、高電圧発生装置６による管電圧、管電流の印加動作を制御するとともに、フォトタイマ８による透過線量の検出動作を制御するようになっている。また、ＣＰＵ２１は、フォトタイマ８からの信号に応じて、高電圧発生装置６による管電圧、管電流の停止動作を制御するようになっている。
【００３６】
また、ＣＰＵ２１は、過去に撮影された際の管電圧値、管電流値、線量及び照射野絞り値で撮影を行った場合、あるいは、入力操作装置２４から入力された値で撮影を行った場合には、実際の撮影に用いた値と撮影条件テーブルに基づいて選択された値との差を、オーダリングサーバ１に対して送信するようになっている。
【００３７】
放射線画像読取装置３は、コンピュータで構成されており、放射線画像読取装置３には、図２に示すように、ＣＰＵ３１、入力操作装置３２、ＲＯＭ３３、ＲＡＭ３４、及びインターフェイス３５がそれぞれ設けられている。
【００３８】
ＲＯＭ３３には、撮影された放射線画像の画像読取処理を制御する各種制御プログラムが格納されている。ＲＡＭ３４には、ＣＰＵ３１による作業領域等が備えられており、ＣＰＵ３１は、ＲＯＭ３３に格納されている各種プログラムの中から指定されたプログラムをＲＡＭ３４内の作業領域に展開し、プログラムに従った各種処理を実行するようになっている。
【００３９】
インターフェイス３５には、オーダリングサーバ１及び画像読取装置９が電気的に接続されている。
【００４０】
ＣＰＵ３１は、入力操作装置３２からの信号に応じて、インターフェイス３５を介してオーダリングサーバ１から撮影予約情報を受信し、受信した撮影予約情報の中の画像読取情報に基づいて、放射線画像読取処理装置９を制御するようになっている。放射線画像読取処理装置９による画像読取処理は、放射線画像を撮影した輝尽性蛍光体シートに励起光を照射して、輝尽性蛍光体シートに蓄積、記録された放射線エネルギーを輝尽発光させ、この輝尽発光光の強弱を電気信号に変換することによって行われる。
【００４１】
ＣＰＵ３１は、放射線画像読取処理装置９により画像読取処理が行われた放射線画像を受信し、オーダリングサーバ１に対して送信するようになっている。
【００４２】
次に、本実施形態の作用について説明する。
【００４３】
医師の判断に基づいて、オーダリングサーバ１の入力操作装置１５から入力された患者情報、撮影情報、及び読取情報は、ＣＰＵ１１により、それぞれ対応付けた状態で、医師が放射線技師に対して放射線画像撮影を指示する撮影予約情報として外部記憶装置１４に記憶される。撮影部位が入力されると、ＣＰＵ１１により、ＲＯＭ１２に格納されている撮影条件テーブルに基づいて、管電圧値、管電流値、線量及び照射野絞り値が選択され、撮影情報に付加される。
【００４４】
オーダリングサーバ１に登録された撮影予約情報は、放射線技師が撮影操作端末２を操作すると、撮影操作端末２のＣＰＵ２１により、受信され、撮影操作端末２の表示装置２５に表示される。このとき、撮影予約情報の中の管電圧値及び管電流値が高電圧発生装置６へ出力され、線量がフォトタイマ８へ出力され、照射野絞り値が絞り装置７へ出力される。
【００４５】
また、撮影予約情報が撮影操作端末２に受信されると、撮影操作端末２のＣＰＵ２１により、受信した撮影予約情報に示された同一患者の同一撮影部位について、補正値及び放射線画像が、オーダリングサーバ１の外部記憶装置１４に記憶されているかが検索される。そして、記憶されている場合には、当該補正値及び放射線画像がオーダリングサーバ１から受信され、表示装置２５に表示されるとともに、補正値が高電圧発生装置６、フォトタイマ８及び絞り装置７へそれぞれ出力される。
【００４６】
放射線技師は、表示装置２５に表示された内容及び患者の体形等を勘案して、管電圧値等を修正する必要があれば、撮影操作端末２の入力操作装置２４から修正する値を入力する。修正が行われると、撮影操作端末２のＣＰＵ２１により、修正された値が高電圧発生装置６、フォトタイマ８及び絞り装置７へそれぞれ出力される。
【００４７】
管電圧値及び管電流値は高電圧発生装置６に入力され、放射線管装置５に印加する値として設定される。線量はフォトタイマ８に入力され、撮影操作端末２に対して所定の線量に到達した旨の信号を送信すべき透過線量として設定される。また、照射野絞り値は絞り装置７に入力され、これに基づいて絞り口７１の開閉動作が行われ、放射線照射野が調節される。
【００４８】
放射線技師は、放射線画像撮影用カセッテＣを撮影すべき患者Ａの身体にあてがい、患者の身体の上から放射線画像撮影用カセッテＣに対して、放射線を照射できる位置に放射線管装置５を配置させる。その後、放射線技師が撮影操作端末２の入力操作装置２４を操作すると、ＣＰＵ２１の制御により、高電圧発生装置６からの管電圧、管電流の印加が開始され、放射線管装置５から放射線が患者Ａに対して照射される。また、これと同時にＣＰＵ２１の制御により、フォトタイマ８による透過線量の検出が開始される。そして、フォトタイマ８により検出された透過線量が設定された線量に到達すると、撮影操作端末２のＣＰＵ２１に対して信号が発信され、これを受信したＣＰＵ２１の制御により、高電圧発生装置６による管電圧、管電流の印加が停止され、放射線管装置５からの放射線の照射も停止される。
【００４９】
その後、過去に撮影された際の管電圧値、管電流値、線量及び照射野絞り値で撮影を行った場合、あるいは、入力操作装置２４から入力された値で撮影を行った場合においては、実際の撮影に用いた値と撮影条件テーブルに基づいて選択された値との差が、ＣＰＵ２１により、オーダリングサーバ１に対して送信され、オーダリングサーバ１の外部記憶装置１４に補正値として記憶される。
【００５０】
その後、放射線技師が画像読取処理操作端末３の入力操作装置３２を操作すると、ＣＰＵ３１により、オーダリングサーバ１から撮影予約情報が受信され、受信した撮影予約情報の中の画像読取情報に基づいて、放射線画像読取処理装置９により、放射線画像を撮影した輝尽性蛍光体シートに励起光を照射されて輝尽性蛍光体シートに蓄積、記録された放射線エネルギーが輝尽発光され、この輝尽発光光の強弱が電気信号に変換される。
【００５１】
放射線画像読取処理装置９により画像読取処理が行われた放射線画像は、画像読取処理操作端末３のＣＰＵ３１により受信されてオーダリングサーバ１に対して送信され、オーダリングサーバ１の外部記憶装置１４に記憶される。
【００５２】
なお、画像読取処理が行われた放射線画像は、オーダリングサーバ１の表示装置１６に表示されるか、あるいはプリンタ等の画像出力装置（図示しない）により出力されることにより、医師による診断に供されることとなる。
【００５３】
以上より、本発明の実施の形態によれば、同一患者の同一部位を再度撮影する際には、オーダリングサーバ１で管理されている撮影予約情報、過去の撮影条件及び放射線画像が、放射線画像撮影装置２に設けられた表示装置２５に表示されるとともに、過去の撮影条件に基づいて自動的に撮影条件が設定される。したがって、放射線技師が、表示されている撮影予約情報、過去の撮影条件及び放射線画像と患者の体形等とを勘案することにより、より容易かつ的確に、放射線の透過量や撮影部位の大きさ等を予測することができるため、過去の撮影条件で良好な放射線画像を得ることができるか否かを容易に判断することができる。
【００５４】
そして、過去の撮影条件で良好な放射線画像を得ることができると判断した場合には、自動的に設定された過去の撮影条件により撮影を行えばよいため、放射線技師による撮影条件の入力誤りを防止することができる上、過去の撮影条件に基づいて良好な放射線画像を得ることができる。
【００５５】
一方、過去の撮影条件を修正することにより、より良好な放射線画像を得ることができると判断した場合には、表示された過去の放射線画像と撮影条件との対応関係をもとに撮影条件を修正することができ、より良好な放射線画像を得ることができる。
【００５６】
また、過去の撮影条件、放射線画像及び撮影予約情報は、一括してオーダリングサーバで管理されるため、撮影予約情報中の撮影情報と過去の撮影条件及び放射線画像とが対応づけられて表示され、誤りなくかつ容易に撮影情報と過去の撮影条件及び放射線画像とを考慮して、撮影条件を適切に設定することができる。
【００５７】
なお、本発明の実施形態では、過去に撮影された際の管電圧値、管電流値、線量及び照射野絞り値を、撮影操作端末２の表示装置２５に表示させるとともに、自動的に撮影条件として設定するようにしたが、管電圧値及び管電流値のみを表示させ、自動的に撮影条件として設定するようにしてもよい。
【００５８】
また、本発明の実施形態では、過去に撮影された際の撮影条件及び放射線画像を、撮影操作端末２の表示装置２５に表示させるとともに、過去の撮影条件自動的に撮影条件として設定するようにしたが、過去の撮影条件及び放射線画像、あるいは過去の撮影条件のみを表示させるだけでもよい。この場合、放射線技師が、撮影条件を撮影操作端末２の入力操作装置２５から入力することになるが、撮影条件を決定する際に、過去の撮影条件や放射線画像を加味して射線の透過量や撮影部位の大きさ等を予測することができるため、撮影条件を適切に設定することができ、良好な放射線画像を得ることができる。
【００５９】
また、本発明の実施形態では、実際の撮影に用いた管電圧値、管電流値等と撮影条件テーブルに基づいて選択された値との差を補正値としてオーダリングサーバ１で管理しておき、この補正値により、同一患者の同一撮影部位について再度撮影する際に、撮影条件テーブルに基づいて自動的に設定された値を修正するようにしたが、実際の撮影に用いた管電圧値、管電流値等をオーダリングサーバで管理しておくようにしてもよい。この場合、撮影操作端末２のＣＰＵ２１は、撮影予約情報が撮影操作端末２に受信されると、同一患者の同一撮影部位について、過去に撮影した際に用いた管電圧値、管電流値等がオーダリングサーバ１に記憶されているかを検索し、記憶されていればこれを受信して、この過去の管電圧値、管電流値等を高電圧発生装置６等に出力するようにしておく。なお、この場合には、撮影条件テーブルに基づいて撮影条件を自動的に設定しなくてもよい。
【００６０】
また、本発明の実施形態では、実際の撮影に用いた管電圧値、管電流値等と撮影条件テーブルに基づいて選択された値との差及び放射線画像の全てを、オーダリングサーバ１で管理するようにしたが、良好な画像を得ることができた撮影に用いた管電圧値、管電流値等と撮影条件テーブルに基づいて選択された値との差及び放射線画像のみを、管理するようにしてもよい。
【００６１】
また、本発明の実施形態では、放射線画像撮影システムとして説明したが、実際の撮影に用いた管電圧値、管電流値等及び放射線画像を記憶する外部記憶装置を、撮影操作端末２に設ければ、撮影操作端末２、高電圧発生装置６、絞り装置７及びフォトタイマ８により、放射線画像撮影装置を構成して撮影処理を行うことができる。この放射線画像撮影装置によれば、放射線技師が撮影操作端末２の入力操作装置２４から例えば患者のＩＤ番号等を入力すると、撮影操作端末２のＣＰＵ２１により、撮影操作端末２に設けられた外部記憶装置に過去の撮影に用いた管電圧値、管電流値等及び放射線画像が記憶されているかが検索され、記憶されている場合には、読み出されて表示装置２５に表示される。このとき、過去の管電圧値及び管電流値が高電圧発生装置６へ出力され、線量がフォトタイマ８へ出力され、照射野絞り値が絞り装置７へ出力される。したがって、この放射線画像撮影装置によれば、同一患者の同一部位を再度撮影する際には、外部記憶装置に記憶されている過去の撮影条件及び放射線画像が、表示装置２５に表示されるとともに、過去の撮影条件に基づいて自動的に撮影条件が設定される。よって、放射線技師が、表示されている過去の撮影条件及び放射線画像と患者の体形等とを勘案することにより、より容易かつ的確に、放射線の透過量や撮影部位の大きさ等を予測することができるため、より良好な放射線画像を得ることができる。また、過去の撮影条件で良好な放射線画像を得ることができる場合には、自動的に設定された過去の撮影条件により撮影を行えばよいため、放射線技師による撮影条件の入力誤りを防止することができる。
【００６２】
【発明の効果】
請求項１に記載の発明によれば、同一被写体を再度撮影する際に、記憶装置に記憶されている過去に撮影を行った際の撮影条件を表示する表示装置が設けられているため、放射線技師は、過去の撮影条件を加味して放射線の透過量や撮影部位の大きさ等を予測することができる。したがって、より容易かつ的確に、放射線の透過量や撮影部位の大きさ等を予測することができるため、放射線技師が撮影条件を適切に設定することができ、良好な放射線画像を得ることができる。
【００６３】
請求項２に記載の発明によれば、表示装置には、同一被写体を再度撮影する際に、記憶装置に記憶されている過去の撮影条件とともに放射線画像が表示されるため、過去の撮影条件と放射線画像の対応関係をもとに撮影条件を調整することができ、より良好な放射線画像を得ることができる。
【００６４】
請求項３に記載の発明によれば、同一被写体を再度撮影する際に、記憶装置に記憶されている撮影条件に基づいて自動的に撮影条件が設定されるため、放射線技師が、患者の身長や体重、撮影部位及び実際に患者の体形を見た結果等の外形的な要素から、放射線の透過量や撮影部位の大きさ等を予測することなく、自動的に適切な撮影条件が設定され、良好な放射線画像を得ることができる。また、自動的に設定された撮影条件により撮影を行えばよいため、放射線技師による撮影条件の入力誤りを防止することができる。
【００６５】
請求項４に記載の発明によれば、オーダリングサーバで管理されている過去の撮影条件が、同一被写体を再度撮影する際に、放射線画像撮影装置に設けられた表示装置に表示されるため、放射線技師が撮影条件を適切に設定することができ、良好な放射線画像を得ることができる。また、過去の撮影条件及び撮影予約情報は、一括してオーダリングサーバで管理され、同一被写体を再度撮影する際に、ともに放射線画像撮影装置に設けられた表示装置に表示される。したがって、撮影予約情報中の撮影情報と過去の撮影条件とが対応づけられて表示されるため、誤りなくかつ容易に撮影情報と過去の撮影条件とを考慮して、撮影条件を適切に設定することができる。
【００６６】
請求項５に記載の発明によれば、オーダリングサーバで管理されている過去の撮影条件及び放射線画像が、同一被写体を再度撮影する際に、放射線画像撮影装置に設けられた表示装置に表示される。したがって、撮影条件と放射線画像の対応関係をもとに撮影条件を調整することができ、より良好な放射線画像を得ることができる。また、過去の撮影条件、放射線画像及び撮影予約情報は、一括してオーダリングサーバで管理され、同一被写体を再度撮影する際に、同時に放射線画像撮影装置に設けられた表示装置に表示される。したがって、撮影予約情報中の撮影情報と過去の撮影条件及び放射線画像とが対応づけられて表示されるため、誤りなくかつ容易に撮影情報と過去の撮影条件及び放射線画像とを考慮して、撮影条件を適切に設定することができる。
【００６７】
請求項６に記載の発明によれば、オーダリングサーバで管理されている過去の撮影条件に基づいて自動的に適切な撮影条件が設定され、良好な放射線画像を得ることができる。また、自動的に設定された撮影条件により撮影を行えばよいため、放射線技師による撮影条件の入力誤りを防止することができる。
【図面の簡単な説明】
【図１】本発明による放射線画像撮影システムの一実施形態の構成を示す図である。
【図２】本発明による放射線画像撮影システムの一実施形態の構成を示すブロック図である。
【符号の説明】
１      オーダリングサーバ
２      撮影操作端末
４      画像読取処理装置
５      放射線管装置
６      高電圧発生装置
７      絞り装置
８      フォトタイマ
９      画像読取処理装置
【図１】
2004188094.tif 000003
【図２】
2004188094.tif 000004